【手続補正書】
【提出日】平成20年8月19日(2008.8.19)
【手続補正１】
【補正対象書類名】明細書
【補正対象項目名】特許請求の範囲
【補正方法】変更
【補正の内容】
【特許請求の範囲】    【請求項１】光ファイバの端部近傍を挿入して保持する貫通孔を少なくとも１つ有する保持部材と、 前記保持部材の前記貫通孔内に少なくとも一部が前記光ファイバが貫通した状態で入り込むコイルバネとを有し、  前記コイルバネの一部は前記保持部材に装着されており、前記コイルバネの他の一部は前記保持部材の外部にあり、かつ前記保持部材に接触していない状態にあることを特徴とする光ファイバの端末部構造。    【請求項２】請求項１に記載の光ファイバの端末部構造において、  前記保持部材の前記貫通孔内部に入っている部分の前記コイルバネのコイル外径が一様であることを特徴とする光ファイバの端末部構造。    【請求項３】請求項１または２に記載の光ファイバの端末部構造において、  前記保持部材の前記貫通孔内部に入っている部分の前記コイルバネのコイル外径が前記保持部材の前記貫通孔部の入り口から奥に入るにつれて小さくなっていることを特徴とする光ファイバの端末部構造。    【請求項４】請求項１乃至３のいずれかに記載の光ファイバの端末部構造において、  前記コイルバネを装着することのできる孔部の長さが１〜５ｍｍであることを特徴とする光ファイバの端末部構造。    【請求項５】請求項１乃至４のいずれか１項に記載の光ファイバの端末部構造において、  前記保持部材の前記光ファイバの一次被覆を除去していない部分を挿入している部分の孔部はその内径が小さい部分と大きい部分があり、前記孔部の内径の大きい部分には前記コイルバネを挿入することができることを特徴とする光ファイバの端末部構造。    【請求項６】請求項１乃至５のいずれか１項に記載の光ファイバの端末部構造において、  前記コイルバネの前記保持部材の外部に出ている部分の少なくとも一部は、前記コイルバネを挿入する前記保持部材の孔部の入り口の内径より大きいコイル外径で、前記コイルバネを前記孔部へ挿入するときのストッパーとなっていることを特徴とする光ファイバの端末部構造。    【請求項７】光ファイバの端部近傍を挿入して保持する貫通孔を少なくとも１つ有する保持部材と、  前記保持部材の少なくとも一部表面に一部が装着されており、かつ前記保持部材に接触していない状態にあるコイルバネとを有することを特徴とする光ファイバの端末部構造。    【請求項８】請求項１乃至７のいずれかに記載の光ファイバの端末部構造において、  前記保持部材が、前記光ファイバのコアとクラッドから成る芯線を保護している一次被覆を除去した前記芯線を挿入することができる比較的小さい内径寸法を有する貫通孔を少なくとも１つ有する第１の保持部と、  前記一次被覆を除去していない光ファイバを挿入することができる比較的大きな内径寸法を有する孔を少なくとも１つ有する第２の保持部とを有することを特徴とする光ファイバの端末部構造。    【請求項９】請求項５または８に記載の光ファイバの端末部構造において、  前記内径の大きい孔部の内径は、前記内径の小さい孔部の平均内径より前記コイルバネを形成しているコイルの線材の直径の２倍以上大きな値の内径であることを特徴とする光ファイバの端末部構造。    【請求項１０】請求項１乃至９のいずれか１項に記載の光ファイバの端末部構造において、  前記保持部材の一部と前記コイルバネの少なくとも一部が固定されていることを特徴とする光ファイバの端末部構造。    【請求項１１】請求項８に記載の光ファイバの端末部構造において、  前記第１の保持部と前記第２の保持部とは一体成形で形成されていることを特徴とする光ファイバの端末部構造。    【請求項１２】請求項１１に記載の光ファイバの端末部構造において、  前記第１の保持部と前記第２の保持部とをそれぞれ独立した部品として形成した後、前記第１の保持部が前記第２の保持部に形成された孔部に挿入固着されていることを特徴とする光ファイバの端末部構造。    【請求項１３】請求項１〜１２のいずれか１項に記載の光ファイバの端末部構造において、  前記保持部材の外部に出ている前記コイルバネの可動部分の長さが１〜５ｍｍの範囲であることを特徴とする光ファイバの端末部構造。    【請求項１４】請求項１〜１３のいずれか１項に記載の光ファイバの端末部構造において、  前記保持部材の外部に出ている部分の前記コイルバネのコイル外径が一様であることを特徴とする光ファイバの端末部構造。    【請求項１５】請求項１〜１４のいずれか１項に記載の光ファイバの端末部構造において、  前記保持部材の外部に出ている部分の前記コイルバネのコイル外径が、前記保持部材から遠ざかるにつれて小さくなっていることを特徴とする光ファイバの端末部構造。    【請求項１６】請求項１〜１５のいずれか１項に記載の光ファイバの端末部構造において、  前記コイルバネの、前記保持部材の外部に出ている部分のコイル外径が、前記保持部材の前記貫通孔部の入り口の内径より大きくないコイル外径であることを特徴とする光ファイバの端末部構造。    【請求項１７】請求項１〜１６のいずれか１項に記載の光ファイバの端末部構造において、  前記コイルバネを接着剤により前記保持部材に固定することを特徴とする光ファイバの端末部構造。    【請求項１８】請求項１７に記載の光ファイバの端末部構造において、  前記コイルバネの前記保持部材と接着されている部分の長さが、前記コイルバネが前記保持部材へ装着されている長さの８０％以内の長さであることを特徴とする光ファイバの端末部構造。    【請求項１９】請求項１〜１８のいずれか１項に記載の光ファイバの端末部構造において、  前記コイルバネを構成するコイル線材の直径が０．０８〜０．２５ｍｍであることを特徴とする光ファイバの端末部構造。    【請求項２０】請求項１〜１９のいずれか１項に記載の光ファイバの端末部構造において、  前記コイルバネのピッチが０．２〜０．５ｍｍであることを特徴とする光ファイバの端末部構造。    【請求項２１】請求項１〜２０のいずれか１項に記載の光ファイバの端末部構造において、  前記コイルバネの前記保持部材に装着されている部分のコイル外径が０．３〜１．０ｍｍの範囲であることを特徴とする光ファイバの端末部構造。    【請求項２２】請求項１〜２１のいずれか１項に記載の光ファイバの端末部構造において、  前記コイルバネのコイル内径が最も小さい部分の内径が０．２５〜０．７０ｍｍの範囲にあることを特徴とする光ファイバの端末部構造。    【請求項２３】請求項１〜２２のいずれか１項に記載の光ファイバの端末部構造において、  前記コイルバネの、前記保持部材から外側にある部分のコイル外径が１．１〜２．５ｍｍφであることを特徴とする光ファイバの端末部構造。    【請求項２４】請求項７に記載の光ファイバの端末部構造において、  前記コイルバネの前記保持部材に巻き付けてある部分のコイル内径が１．４ｍｍφ以下であることを特徴とする光ファイバの端末部構造。    【請求項２５】請求項２４に記載の光ファイバの端末部構造において、  前記保持部材のコイルバネを巻き付ける部分の長さが１〜５ｍｍであることを特徴とする光ファイバの端末部構造。【手続補正２】
【補正対象書類名】明細書
【補正対象項目名】０１１２
【補正方法】変更
【補正の内容】
【０１１２】  図１０におけるコイルバネ８０８は線径が０．０８〜０．２５ｍｍφの範囲で、コイルのピッチが０．２〜０．５ｍｍの範囲であり、また、コイルバネのフェルールの後端部からファイバの長さ方向に外側にでている部分のコイル外径が一定で、そのコイル外径が１．１〜２．５ｍｍφの範囲で、フェルールの後端部からファイバの長さ方向に外側に出ている部分８０８ｃの長さを０．５ｍｍ〜６．０ｍｍの範囲で０．５ｍｍ間隔にしたものを各種製作した。  そして、コイルバネ８０８の孔部１０３ｃに入っている部分８０８ａのコイル外径がフェルールの先端部に近づくにつれて連続的に小さくなっており、コイルバネ８０８の孔部１０３ｃに挿入されている部分８０８ｂのコイル内径の最小値が一次被覆を有するファイバ素線を通すことができるような大きさとなっており、かつその範囲が０．２５〜０．７０ｍｍφ（たとえば、コイルバネに挿入する光ファイバ素線１本の場合は０．２５〜０．７０ｍｍφ、挿入される光ファイバが２本の場合は０．５０〜０．７０ｍｍφ）とその前後の値について各種製作して実験を行った。  その結果、上記の試作の範囲においては、フェルールの長手方向に直角の方向にファイバを引っ張ってもファイバの断線はなく、ファイバの取り扱いも極めてやり易いものであった。また、上記の試作寸法の範囲以外においては、上記試作結果における効果より幾分低い効果を発する結果であった。  また、上記試作の結果から、コイルバネ８０８を孔部１０３ｃに接着する場合、コイルバネ８０８の孔部１０３ｃに入っている部分８０８ｂの８０％を接着出来る程度の量の接着剤でコイルバネ８０８の孔部１０３ｃに入っている部分を接着した場合がより好ましいことがわかった。